(57)【要約】【課題】フロアーの状況に応じて、自由な大きさや形状になるように並べることができるとともに、隣接するマット同士がずれ動くことがなく、しかも、洗濯を行う際に他の洗濯物にくっ付くことのないマットを提供することを目的とする。【解決手段】マット本体裏面の少なくとも一側縁に連結を目的とする係合用のループ加工、もしくはループ状の面を有する係合部材が取り付けられており、これら係合部材が設けられた部分が、隣接する状態でマットを敷設した時に、両係合部材同士をフック状に加工がなされた面を有する連結具で連結可能に構成されたことを特徴とする。【選択図】      図１
2005080686.tif 000002
【特許請求の範囲】
【請求項１】
マット本体裏面の少なくとも一側縁に連結を目的とする係合用のループ加工、もしくはループ状の面を有する係合部材が取り付けられており、これら係合部材が設けられた部分が、隣接する状態でマットを敷設した時に、両係合部材同士をフック状に加工がなされた連結具で連結可能に構成されたことを特徴とするマット。
【請求項２】
係合部材が、ヘムテープで形成されている請求項１に記載のマット。
【発明の詳細な説明】
【技術分野】
【０００１】
本発明は、台所、洗面所、玄関などのフロアーに敷かれるマットに関する。
【背景技術】
【０００２】
各家庭の台所、洗面所、玄関などのフロアーには、足拭き、足元の保温性確保、フロアーの汚れ防止などを目的としてマットが敷かれていることが多い。
ところが、このようなマットが敷かれる面積は、各家庭によって異なり、汎用の市販のマットであっても大きすぎたり小さすぎたりするなどして、求める大きさと一致するマットを見つけ出すのは容易ではない。
【０００３】
また、家庭の台所にマットを使用する場合、調理の際に鍋からのふきこぼれや、水はねなどにより汚れやすいという問題がある。
このような場合、マットの大きさが大きすぎると洗濯を行うのが大変であり、また、マットの一部のみが汚れているのに、マット全体を洗濯するのは無駄が多いという問題がある。
【０００４】
一方、マットの大きさを小さくすると、確かに洗濯を行うことは容易となるかもしれないが、小さなマット一枚だけでは、台所用マットとしてフロアーの汚れ防止を図るために面積が不足してしまうため、複数のマットを並べて使用する必要が生じてしまう。
ところが、小さなマットを複数並べて使用した場合、それぞれのマットがずれ動いて、マットとマットの間に隙間が生じたりする場合がある。
【０００５】
そこで、従来、フロアーの状況に応じて、上手く並べて敷き詰めることができるとともに、隣接するマット同士がずれ動かないマットが提案されている。（特許文献１参照）
【０００６】
【特許文献１】特開平１１−９４２４号公報
【発明の開示】
【発明が解決しようとする課題】
【０００７】
しかし、特開平１１−９４２４号公報に記載された足マットは、マット本体の一側面にループ状係合部材が設けられていると共に、マット本体の他側面にフック状被合部材が設けられているため、マット本体の一部を洗濯しようとしたとき、フック状被係合部材が他の洗濯物に引っ掛かってしまうおそれが生じる。
【０００８】
そこで、本発明は、上記事情に鑑みて、フロアーの状況に応じて、自由な大きさや形状になるように並べることができるとともに、隣接するマット同士がずれ動くことがなく、しかも、洗濯を行う際に他の洗濯物にくっ付くことのないマットを提供することを目的としている。
【課題を解決するための手段】
【０００９】
上記目的を達成するために、本発明の請求項１の記載にかかるマット（以下、「請求項１のマット」と記す。）は、マット本体裏面の少なくとも一側縁に連結を目的とする係合用のループ加工、もしくはループ状の面を有する係合部材が取り付けられており、これら係合部材が設けられた部分が、隣接する状態でマットを敷設した時に、両係合部材同士をフック状に加工がなされた面を有する連結具で連結可能に構成されたことを特徴とする構成をしている。
【００１０】
上記構成において、マット形状は、三角形、四角形、それ以上の多角形、円形、長円形、その他の形状など特に限定されない。
また、マット本体において係合部材は、一側縁のみに設けられていても良いし、周縁部全体に渡るように設けられていても良い。
また、係合部材以外のマット本体裏面は、滑り止め加工を行うことが好ましい。
【００１１】
また、係合部材は、連結具のフック状に加工された面と係合し合うようになっているループ加工がなされていれば、特に限定されないが、特に、本発明の請求項２の記載にかかるマット（以下、「請求項２のマット」と記す。）のように、係合部材が、ヘムテープで形成されている構成とすると、一般に使用されている面ファスナーのループ素材と比べて、非常に柔らかな素材であり、床面を傷つけるおそれがないにも関らず、連結具のフック状に加工された面と確り係合するという利点を有しているのに加えて、耐洗濯性に優れ、マット本体の洗濯を繰り返し行っても連結具との係合具合が劣化することもないため好ましい。
ここで、フック状に加工した面とは、面ファスナー（いわゆるマジックテープ）におけるループ面を有する面と嵌合するフック状の突起物が複数設けられた面のことをいう。
【００１２】
なお、上述したヘムテープとは、ナイロン１００％で起毛状に形成された繊維テープのことをいい、収縮などが少なく、耐洗濯性に優れ、強度的に優れた性質を有している。
ヘムテープを間と本体裏面へ取り付けるときは、縫着してもよいし接着剤を介在させて取り付けても良いし、特に限定されない。
【発明の効果】
【００１３】
本発明にかかる請求項１のマットは、マット本体の裏面に設けられている係合部材が連結具により連結されるようになっているため、マットを敷設するフロアー部分の状況に応じて、自由な大きさや形状になるようにマット本体を並べ替えることができ、隣接するマット本体がずれ動くこともない。さらに、連結具を取り外すことで、他の洗濯物に引っ付くなどの問題も起こらないため、自由に洗濯を行うことができる。
【００１４】
また、本発明にかかる請求項２のマットは、請求項１のマットの効果に加えて、係合部材がヘムテープで構成されているため、柔らかな肌触りの触感を有しフロアー面を傷つけにくくなっているにもかかわらず、連結具との係合具合が優れており、さらに、強度が高く、耐洗濯性に優れ繰り返し洗濯を行っても連結具との係合が弱まることがない。
【発明を実施するための最良の形態】
【００１５】
以下に、本発明を、その実施の形態をあらわす図面を参照しつつ詳しく説明する。
図１は、本発明にかかるマットの１実施形態としてキッチンマットとして使用した例を示した斜視図である。
図１に示したようにマット１は、係合部材２と連結具３とを備えている複数のマット本体１０により構成されている。
【００１６】
マット本体１０は、図４に示したように、長方形をしており、起毛が形成されている表面部分１０ａと、図示していないが滑り止め加工がなされているとともに側縁に沿って係合部材２が設けられている裏面部分１０ｂとにより構成されている。
【００１７】
係合部材２は、ヘムテープにより構成されており、図１の点線で示したように、３〜５ｃｍ幅で、マット本体１０の裏面部分１０ｂの三方の側縁に沿わせるように縫着されている。
係合部材２は、図示していないが、極細の繊維が３〜７ｍｍの長さで起毛した状態にあり、それぞれの繊維同士が絡み合うことで、ループ状の面が形成された係合面２１となっている。
【００１８】
連結具３は、図４に示したように、隣接させた係合部材２同士を連結させるに足る幅を有したテープ形状をしており、図示していないが、フック状に加工がなされた面（以下、「連結面」という。）３１を備えている。
連結面３１は、フック状に加工された部分が、係合部材２の係合面２１のループ状の面に係合するようになっている。
【００１９】
以上のような構成をしているマット１は、図１に示したように、台所の形状に合わせるようにして自由な形状となるように連結することができる。
また、連結具３は、着脱自在であるため、複数のマット本体１０が連結されているマット１の中から、任意のマット本体１０のみを取り出して洗濯することができる。
このとき、連結具３は、取り外されているため、マット１０を洗濯する際、他の洗濯物に連結具３が絡みつくなどの問題が生じることもない。
【００２０】
なお、本発明にかかるマットは、上述した実施の形態のマット１に限定されるものではない。
たとえば、マット１では、長方形をしたマット本体１０を複数連結させることにより構成されていたが、図２（ａ）に示したマット１１のように、一部に曲線部分が設けられたマット本体１１ａと１１ｂとを連結させたものであっても良いし、図２（ｂ）に示したマット１２のように一部に曲線部分が設けられたマット本体１２ａと１２ｃとの間に長方形状のマット本体１２ｂを介在させて連結させたものであっても良いし、図２（ｃ）に示したマット１３のように、大きさの異なるマット本体１３ａ、１３ｂおよび１３ｃを連結させたものであっても良い。
【００２１】
また、係合部材２は、マット本体１０のように、裏面部分１０ｂの三方の側縁に沿わせるように縫着されていたが、接着剤などを介在させて取り付けられていても構わない。
さらに、係合部材は、少なくとも一方の側縁に沿って設けられていれば、三方の側縁に沿わせるだけでなく、図２（ａ）や（ｂ）に示したように、マット本体の二つの側縁に沿わせるようにして設けても良いし、図示していないが、一方の側縁に沿ってのみ設けるようにしても、周側縁全体に沿わせて設けるようにしても良い。このとき、側縁は、直線に限らず、曲線状をしていても構わない。
加えて、係合部材は、一側縁の一端から他端まで全体に渡って設けられていても良いし、一部にだけ設けられていても良い。
【００２２】
また、本発明にかかるマットは、上述したように、直線状にマット本体を連結するのではなく、図５に示したように、雫（しずく）形状をしているマット本体１４ａを、図６（ａ）および（ｂ）に示したように、四つを十字状に連結させたマット１４のような構成をしても良い。
このような構成をしているマット１４は、上述したマットと比べて、より多様性に富んだデザインや大きさを形成させることができるため好ましい。
【００２３】
また、マットに用いられる係合部材は、ヘムテープに代えて、面ファスナー（いわゆる『マジックテープ』）のループ加工がなされた面をマット本体の裏面部分に取り付けるようにしても良いし、裏面部分に直接ループ加工を施すようにしても良い。
【産業上の利用可能性】
【００２４】
本発明の請求項１にかかるマットは、以上のように構成されているので、キッチンマットなどとして使用したとき、マット本体の組み合わせにより、自由に形状や大きさを代えることができ、隣接するマット本体同士が係合部材と連結具とにより連結固定されているため、それぞれのマット本体がずれ動くことがない。
しかも、連結具は、着脱自在になっているため、連結具を取り外すと、それぞれのマット本体を洗濯することが可能となり、汚れたマット本体だけを選別して洗濯したり、洗濯機の容量に合わせた数のマット本体に分けて洗濯したりすることが可能となる。
【００２５】
また、本発明の請求項２にかかるマットは、係合部材がヘムテープで構成されているため、連結具のフック状に形成された面と係合するにも関らず、非常に柔らかく手触りが良い。
したがって、傷が付きやすいフローリング床などに使用したとき、連結具が取り付けられていない係合部材の部分が床に接しているような場合であっても、床面を傷つけることがない。
【図面の簡単な説明】
【００２６】
【図１】本発明にかかるマットの１実施形態を示した斜視図である。
【図２】本発明にかかるマットの他の実施形態を示した上面図である。
【図３】図１に示したマットにおけるマット本体同士の連結部分を示した断面図である。
【図４】マット本体同士の連結部分を示した斜視図である。
【図５】本発明にかかるマットの他の実施形態に用いるマット本体を示した斜視図である。
【図６】図５のマット本体を連結させてマットを形成させたときの正面図と、裏面図である。
【符号の説明】
【００２７】
１          マット
１０        マット本体
２          係合部材
３
連結具
【図１】
2005080686.tif 000003
【図２】
2005080686.tif 000004
【図３】
2005080686.tif 000005
【図４】
2005080686.tif 000006
【図５】
2005080686.tif 000007
【図６】
2005080686.tif 000008